(57)【特許請求の範囲】
【請求項１】
太陽電池と、
前記太陽電池の平面に沿った平板形状の外装ケースと、
前記外装ケース内に納まるように配置かつ配線された、蓄電池、電子機器の部品類及び制御回路と、
前記外装ケースの外面に備えられた表示器や操作スイッチと、
前記太陽電池の周辺部の外装ケースに一端が固定された連結部材と、
前記連結部材の他端に固定された把持用クリップと、
を有する太陽電池式の携帯電子機器であって、
前記把持用クリップは、携帯電子機器の重量負荷が掛ってもずれ落ちない把持力をもち、
前記連結部材は、角度調節が可能であり、前記携帯電子機器の重量による曲げモーメント負荷が掛っても角度保持する部材であることを特徴とする、太陽電池式の携帯電子機器。
【請求項２】
太陽電池と、
前記太陽電池の平面に沿った平板形状の外装ケースと、
前記外装ケース内に納まるように配置かつ配線された、蓄電池、電子機器の部品類及び制御回路と、
前記外装ケースの外面に備えられた表示器や操作スイッチと、
前記太陽電池の周辺部の外装ケースに一端が固定された連結部材と、
前記連結部材の他端に固定された把持用クリップと、
を有する太陽電池式の携帯電子機器であって、
前記把持用クリップは、携帯電子機器を電灯笠の縁にクリップ留めして吊り下げた場合に前記携帯電子機器の重量負荷が掛ってもずれ落ちない把持力を持ち、
前記連結部材は、角度調節が可能であり、前記連結部材は前記携帯電子機器の重量による曲げモーメント負荷が掛っても角度保持する部材であることを特徴とする、太陽電池式の携帯電子機器。
【請求項３】
太陽電池と、
前記太陽電池の平面に沿った平板形状の外装ケースと、
前記外装ケース内に納まるように配置かつ配線された、蓄電池、電子機器の部品類及び制御回路と、
前記外装ケースの外面に備えられた表示器や操作スイッチと、
前記太陽電池の周辺部の外装ケースに一端が固定された連結部材と、
前記連結部材の他端に固定された把持用クリップと、
を有する太陽電池式の携帯電子機器であって、
前記把持用クリップは、前記携帯電子機器の重量負荷が掛ってもずれ落ちない把持力をもち、
前記連結部材は、前記太陽電池の垂線がクリップ方向を向くように角度調節が可能であり、前記携帯電子機器の重量による曲げモーメント負荷が掛っても角度保持する部材であることを特徴とする、太陽電池式の携帯電子機器。
【請求項４】
太陽電池と、
前記太陽電池の平面に沿った平板形状の外装ケースと、
前記外装ケース内に納まるように配置かつ配線された、蓄電池、電子機器の部品類及び制御回路と、
前記外装ケースの外面に備えられた表示器や操作スイッチと、
前記太陽電池の周辺部の外装ケースに一端が固定された連結部材と、
前記連結部材の他端に固定された把持用クリップと、
を有する太陽電池式の携帯電子機器であって、
前記把持用クリップは、前記携帯電子機器の重量負荷が掛ってもずれ落ちない把持力をもち、
前記連結部材は、電気光を垂直受光する場合には前記太陽電池の垂線をクリップ方向へ角度調節でき、太陽光を垂直受光する場合には前記太陽電池の垂線をクリップ方向のおよそ逆向きへ角度調節する事ができ、前記携帯電子機器の重量による曲げモーメント負荷が掛っても角度保持する部材であることを特徴とする、太陽電池式の携帯電子機器。
【請求項５】
太陽電池と、
前記太陽電池の平面に沿った平板形状の外装ケースと、
前記外装ケース内に納まるように配置かつ配線された、蓄電池、電子機器の部品類及び制御回路と、
前記外装ケースの外面に備えられた表示器や操作スイッチと、
前記太陽電池の周辺部の外装ケースに一端が固定された連結部材と、
前記連結部材の他端に固定された把持用クリップと、
を有する太陽電池式の携帯電子機器であって、
前記把持用クリップは、前記携帯電子機器を電灯笠の縁にクリップ留めして吊り下げた場合に前記携帯電子機器の重量負荷が掛ってもずれ落ちない把持力をもち、
前記連結部材は、前記太陽電池の垂線がクリップ方向を向くように角度調節が可能であり、前記携帯電子機器の重量による曲げモーメント負荷が掛っても角度保持する部材であることを特徴とする、太陽電池式の携帯電子機器。
【請求項６】
太陽電池と、
前記太陽電池の平面に沿った平板形状の外装ケースと、
前記外装ケース内に納まるように配置かつ配線された、蓄電池、電子機器の部品類及び制御回路と、
前記外装ケースの外面に備えられた表示器や操作スイッチと、
前記太陽電池の周辺部の外装ケースに一端が固定された連結部材と、
前記連結部材の他端に固定された把持用クリップと、
を有する太陽電池式の携帯電子機器であって、
前記把持用クリップは、前記携帯電子機器を電灯笠の縁にクリップ留めして吊り下げた場合に前記携帯電子機器の重量負荷が掛ってもずれ落ちない把持力をもち、
前記連結部材は、電気光を垂直受光する場合には前記太陽電池の垂線をクリップ方向へ角度調節でき、太陽光を垂直受光する場合には前記太陽電池の垂線をクリップ方向のおよそ逆向きへ角度調節する事ができ、前記携帯電子機器の重量による曲げモーメント負荷が掛っても角度保持する部材であることを特徴とする、太陽電池式の携帯電子機器。
【発明の詳細な説明】
【技術分野】
【０００１】
本発明は、太陽電池と蓄電池とクリップを備えた携帯電子機器類に関する発明である。つまり持運べる電子機器に関する発明である。
太陽電池の呼び方は、太陽電池基板、太陽光パネル、ソーラーパネル、ソーラー電池、光電変換素子、エネルギー変換モジュールなどあるが、以後は太陽電池と記載する。太陽電池にはさまざまな種類がある。アモルファスシリコン型、単結晶シリコン型、薄膜シリコン型、化合物系、色素増感型、有機薄膜型、量子ドット型などである。適用できればどの種類の太陽電池でも構わない。
蓄電池の呼び方は、充電池，バッテリー，コンデンサなどあるが、以後は蓄電池と記載する。
ここでいうクリップとは、物体を挟み持つ把持用クリップである。
ここでいう携帯機器とは、持ち歩ける軽さ，小ささの機器である。およそポケットサイズでおよそ２百グラム以下の機器である。携帯電話機，スマートフォンの重さ以下の機器である。
ここでいう電子機器類とは、電子部品を含んで構成され、少ない電力で作動する機器である。具体例を列記すると、携帯ＬＥＤライト，懐中電灯，携帯時計，ストップウオッチ，キッチンタイマー，歩数計，電卓（携帯用電子計算機），カードラジオ，玩具および外付け電源である。外付け電源とは、接続コネクタを有していて、接続コードを繋いだ電子機器へ電力供給する電源である。
【０００２】
【背景技術】
【０００３】
最近の太陽電池は、蛍光灯やＬＥＤ灯などの電気光による弱い光でも充電できるようになっている。また太陽電池の低コスト化も進み、さまざまな機器に備えられるようになった。腕時計，電卓，首振り人形などのオモチャにも用いられている。
しかしながら従来の太陽電池式機器は、電力切れし易く、信頼性が低かった。太陽光という強い光であれば短時間で充電できる。けれども梅雨期，秋雨期は太陽光を受けられない。あるいは建築物が密集する市街地では日照環境が悪い住宅も少なくない。通年にわたって確実に充電させるならば、電気光による充電を想定する事になる。ところが電気光で蓄電池をフル充電させるには長時間かかることになる。それゆえ電力切れし易く、信頼性の低い機器と認識されていた。信頼性の低さは、世間に出回る機器の占有率に表れていた。携帯電子機器分野において、乾電池式は９割以上を占め、太陽電池式は数％である。
【先行技術文献】
【特許文献】
【０００４】
【特許文献１】実開昭５７−１５８１１０号
【特許文献２】特許登録第５６６９９３４号
【特許文献３】実用新案登録第３０６１３８１号
【特許文献４】実用新案登録第３０７０８２８号
【特許文献５】特開２００６−１８５７５５号
【発明の概要】
【発明が解決しようとする課題】
【０００５】
本発明の課題は、太陽電池式携帯電子機器の電気光による充電時間の短縮化である。フル充電させる時間の短縮化である。速く充電させるには、太陽電池の高効率化の方策と、太陽電池への受光量増加の方策がある。本発明は、受光量増加の方策によって、充電時間短縮化を目指すものである。
そこで本発明では、クリップを用いて機器を電気光の直下に位置させる事を着想した。一般家庭の照明器具には、電灯笠（Ｌａｍｐｓｈａｄｅ）がある。この電灯笠の縁にクリップ留めして、携帯電子機器を吊るす事ができる。さらに多くの光を受けるには、太陽電池を垂直受光姿勢にすることが望ましい。この点も実現可能である。携帯電子機器とクリップを接続する連結部材を角度調節可能な構成とすれば、実現できる。吊下げ支点である電灯笠は、携帯電子機器程度の重さ，曲げモーメントでは変形しない。それゆえ角度調節した携帯電子機器は、調節したままの姿勢を保てる。当たり前のようであるが必須条件である。仮に電灯笠が布カーテン製であったとしたら、連結部材を曲げて姿勢調節しようとしても、吊下げ支点であるカーテン自体が変形してしまうので、携帯電子機器の姿勢は調節できない。
他にも本発明の成立を懸念させる事項が３点有った。懸念１は、機器による遮光である。日常生活での室内の電灯笠に携帯電子機器を吊下げると、携帯電子機器によって電気光が遮られてしまい、日常生活に影が差してしまう。この懸念は、携帯電子機器が小さければ悪影響は無い。照明器具よりも携帯電子機器が小さければ、光は周囲に届く。また携帯電子機器吊下げの方角を配慮すれば、遮光の悪影響はほとんど無いことを本発明者は確認した。電気光の直下と表現したが、下方の近距離という意味である。吊下げ位置は、電気光の斜め下や横の位置でも構わない。
【０００６】
懸念２は、電気光からの加熱による太陽電池の効率低下である。蛍光灯の高温部は７０℃になりうる。太陽電池は高温になると、変換効率が低下する。この懸念は吊下げ位置によって懸念回避できる。非接触なら熱伝導はほとんど無い。位置関係が熱源の下なら、熱せられた空気の対流による熱伝達も受けない。蛍光灯の下方４センチ程度であれば、熱の悪影響は受けないことを本発明者は確認した。
懸念３は、携帯電子機器が落下して人に怪我させる惧れである。この懸念は、携帯電子機器が軽ければ怪我させる惧れは無い。１ｋｇ以上の重量物は電灯笠から落下すれば明らかに危険である。だが携帯電話機程度の重さでは怪我の惧れは無い。またすでに携帯電話機は社会に普及しているので、一般人はこの程度の重量物の取扱いには慣れている。本発明は、上述の技術課題と懸念点の解決によって完成したものである。
つづいて先行技術との関係を解説する。太陽電池が電気光でも充電できるようになったのは、数十年前からである。先行技術には、蛍光灯の真上に太陽電池を固定設置する構成（特許文献１）がある。また筒状の太陽電池を蛍光灯に外挿する構成（特許文献２）もある。特許文献２の太陽電池は着脱自在な構成であるが、蛍光灯を取外しての着脱なので、手間がかかるものであった。特許文献２の構成では、着脱が煩わしく、携帯機器への適用には不適であった。
【０００７】
携帯機器に太陽電池を組合せる先行技術も多数ある。特許文献３は、太陽電池と蓄電池とＬＥＤを組合せ、腕章タイプに形成した散歩用ライトである。特許文献３はクリップを備えているが、太陽電池の向きは調節できない構成である。それゆえ特許文献３は、本発明のように電気光の直下に位置させて、太陽電池を垂直受光姿勢にさせる事は出来ない。
特許文献４は、太陽電池と蓄電池とＬＥＤを組合せ、装置はクリップと屈曲支柱を備えている。構成要素は、本発明とかなり近いものである。しかしながら屈曲支柱はＬＥＤの向きを調節する為の構成であり、太陽電池に何ら作用し得ない。太陽電池は装置本体とコード接続する構成であり、太陽電池の向きも位置も調節不能である。それゆえ特許文献４も、本発明のように電気光の直下に位置させて、太陽電池を垂直受光姿勢にさせる事は出来ない。
特許文献５は、クリップ付き携帯ＬＥＤライトであり、ＬＥＤの向き調節機構も備えている。しかしながら太陽電池は備えていない。仮に特許文献５発明者が太陽電池の付加を着想したとしても、ＬＥＤライト本体の外面に太陽電池を設ける構成となる。その構成では、本発明のように電気光の直下に位置させて、太陽電池を垂直受光姿勢にさせる事は出来ない。
【課題を解決するための手段】
【０００８】
懸かる課題解決の為、携帯電子機器類を電灯笠にクリップ留め可能にする事、および太陽電池が垂直受光するように姿勢調節可能にする事を、解決手段とする。
より具体的に説明すると、携帯電子機器類に太陽電池で充電する蓄電池を接続してなる携帯電子機器類において、この太陽電池の平面に沿った平面形状の外装ケースを形成し、この外装ケース内に納まるように電子機器の部品類と制御回路を配置かつ配線し、この外装ケースの外面には表示器および操作スイッチを設け、この太陽電池の周辺部に連結部材を固定し、この連結部材の他端に把持用クリップを固定し、この把持用クリップは携帯電子機器類の重量負荷が掛ってもずれ落ちない把持力をもち、この連結部材は角度調節可能な部材とし、この連結部材は電子機器重量による曲げモーメント負荷が掛っても角度保持する部材とすることを、解決手段とする。
ここでいう垂直受光とは、受ける光がおよそ垂直であるという意味である。光学的に厳密なる垂直に限定するものではない。もちろん垂直受光が理想であるが、電灯笠の形状や携帯電子機器による遮光などの状況において、無理のない範囲で出来るだけ垂直に近い角度に調節するという意味である。
ここでいう太陽電池の周辺部とは、太陽電池の周囲から、太陽電池のある外装ケース面の側面の範囲である。
ここでいう曲げモーメント負荷は、連結部材の屈曲部分から携帯電子機器までの水平距離と携帯電子機器の重量の積で求められる。本発明に用いる連結部材は、その曲げモーメントが加わっても、角度保持するということである。
【０００９】
【発明の効果】
【００１０】
本発明の携帯電子機器類は、充電時間が従来比で１／１５以下に時間短縮するという効果がある。
本発明品は角度調節可能なクリップを備えているので、電灯笠の縁に吊下げる事が出来る。さらに接続部材を曲げることによって、太陽電池が電気光を垂直受光する向きに調節できる。その場合、光源と太陽電池の距離は４〜１０センチにできる。照明器具や電灯笠の形状はさまざまであるが、家屋内のいずれかの電灯笠に吊るせば１０センチには近づける。それに引き換え従来品の、クリップ無し電子機器が電気光充電する場合は、机上や床面に置いて充電することとなる。好条件の机上置きと想定しても、天井の電灯と机上の従来品との距離は１．５メートル以上になる。太陽電池が発電する能力は受光量に比例する。受光量は、太陽電池と光源の距離に反比例する。つまりこの想定例の場合、本発明品の充電量は従来比１５倍以上にもなる。充電時間で表現すれば、本発明品の充電時間は従来比１／１５以下で済むという事である。従来品で８時間要していたなら、本発明品は３２分で済む。従来品で４時間要していたなら、本発明品は１６分に短縮されるという事であり、この効果は大きい。
また本発明の意義は、太陽電池式機器類（または照明器具）を、日常使いに信頼して使える機器にする点にある。単なる時間短縮ではなく、日常使いに耐えるか否かの分岐点を超えさせた事に意義がある。背景技術の項でも説明したが、従来の太陽電池式機器は電力切れし易いので信頼性が低く、それゆえ市場占有率は数％だった。圧倒的に乾電池式のほうが信頼され、購入，使用されている。
【００１１】
本発明品ならば充電時間が１／１５以下になり、すぐフル充電できる。電力切れの危険性はほとんど無くなり、太陽電池式機器への信頼性が得られるという訳である。本発明によって太陽電池式機器の信頼性が高まれば、市場占有率で１割２割を獲得し得る。さらに今後の技術進歩によって太陽電池の変換効率アップ，蓄電池容量アップ，蓄電池軽量化，電子機器の省電力化が進めば、市場占有率で太陽電池式が乾電池式を超えることもあり得る。
本発明品は、太陽光による充電を行う場合であっても充電時間を短縮させる効果をもつ。日当りする窓サッシの枠にクリップ留めし、太陽電池を垂直受光姿勢にすれば、より多く受光できて、充電時間は短縮される。もちろん太陽の動きを追尾するわけではないので、効果は限定的である。とはいえ朝日，夕日や冬季において、水平置きより垂直受光姿勢は有効である。関東の冬の太陽南中仰角は３３度である。従来機器では地面に水平に置かれていた。本発明機器ならば太陽電池を仰角６７度の姿勢にして垂直受光にできる。本発明機器の受光量は、従来機器比で１．８３倍になる。充電時間で表現すれば１／１．８３に短縮できる。
もう一つの効果は、本発明機器の使用時においても、機器の姿勢や位置をクリップと連結部材で調節できる事である。使用時にクリップ留めする対象は、使用者の着衣，帽子，同時に使用する道具，周囲の構造物である。そして連結部材の曲げ角度も自由に調節できるので、利便性が高くなる。その具体例は、実施例に記載した。特に本発明を照明器具に適用した場合において有効である。照明器具は照らす方向も重要な要素である。本発明のクリップと連結部材は、照明器具の設置場所も照らす方向も調節可能とするので、照明器具として利便性が高くなる。
【図面の簡単な説明】
【００１２】
【図１】実施例１の携帯ＬＥＤライトを電灯笠にクリップ留めした斜視図である。
【図２】実施例２のキッチンタイマー裏面の斜視図である。
【図３】実施例２のキッチンタイマーの正面図である。クリップ側は破断線で省略している。
【図４】実施例３の電卓の正面図である。
【発明を実施するための形態】
【００１３】
本発明は、様々な携帯電子機器に適用できる。携帯照明器具，キッチンタイマー，電卓などである。
【実施例１】
【００１４】
図１を参照として、本発明を携帯ＬＥＤライト１に適用した実施例１を説明する。まず太陽電池２の平面に沿った平板形状の外装ケース３を形成する。図１の外装ケース３の右側面にＬＥＤ４を３つ設け、外装ケース３の手前側面にはオン／オフするスイッチ５を設ける。この外装ケース３の上面に太陽電池２を設ける。太陽電池２から発電される電気を充電する為の蓄電池を、外装ケース内３に納める。これら太陽電池２，蓄電池，スイッチ５，ＬＥＤ４，ＬＥＤ点灯回路を配線接続して、携帯ＬＥＤライト１の本体を形成する。
この外装ケース３の左側面に、連結部材と繋がるための球体連結部６を設ける。この球体連結部６に凹凹連結部材７を繋げる。この凹凹連結部材７に凸凹連結部材８を繋げる。把持用のクリップ９の片方の摘み部先端を球体に形成し、クリップ側球体連結部10とする。このクリップ側球体連結部10と凸凹連結部材８を繋げる。これら球体連結部６，凹凹連結部材７，凸凹連結部材８は、一般的に球体関節連結部材（ｂａｌｌ−ｊｏｉｎｔ）と呼ばれ、曲げ角度調節も捻り角度調節も可能な連結部材である。なおかつある程度の曲げモーメント負荷がかかっても角度保持される連結部材である。球体関節連結部材には金属製も存在するが、ここでは軽量なプラスチック製を用いる。図１では球体関節連結部材の係合部分は、隠れ線として点線で図示している。
つづいて携帯ＬＥＤライト１の充電方法を説明する。充電の為の光源は、円錐形の電灯笠11に電球を組合せた照明器具とする。電灯笠11の縁をクリップ９で挟み、携帯ＬＥＤライト１を電球直下に下げ吊るす。太陽電池２が電球光を垂直受光するように、連結部材７，８を曲げる。図１はその状態を示している。電灯笠11のみ、断面で表している。ＬＥＤ４を用いた携帯ＬＥＤライト１は軽量であるし、連結部材７，８の曲率半径は小さいので、連結部材７，８に掛かる曲げモーメント負荷は小さい。曲げモーメント負荷が小さいので、連結部材７，８は角度保持していられる。携帯ＬＥＤライト１は総重量２０グラム程度で製造できる。
【００１５】
つぎに携帯ＬＥＤライト１の使い方を説明する。懐中電灯のような使い方の他に、クリップ９を活用した使い方が出来る。使用者の着衣の前身頃に携帯ＬＥＤライト１をクリップ９で留めた場合、照らす方向は連結部材７，８の曲げ具合によって自由に調節できる。足元を照らしたり、正面前方を照らすという具合である。またクリップ９で袖口に留めて直下の地面を照らせば、夜間の散歩，ジョギング用の照明器具として利用できる。地面を照らしているので、前後の他者から照明光が見えて、衝突事故を予防できる。夜の犬の散歩であっても、両手自由なのでリード紐とゴミ袋を持っていられる。ほかの例として屋根裏，床下での工具作業も、周辺構造物に携帯ＬＥＤライト１をクリップ留めすれば、両手自由で作業できる。あるいは工具に携帯ＬＥＤライト１をクリップ留めすれば、対象物を照らしながら工具作業できる。携帯ＬＥＤライト１を帽子やメガネへのクリップ留めする事も可能である。
当然ながら携帯ＬＥＤライト１の制御は、さまざまに設計し得る。単純にオン／オフ制御だけでもよいし、点滅モードを加えた制御でもよいし、点灯するＬＥＤ個数を１，２，３個と調節できる制御でもよい。ＬＥＤ点灯個数制御させる設計にして、必要最低限の光量で省エネ使用すれば、使用可能時間を延ばせる。
図１では理解し易く表現する為に、光源として電球を図示した。実際には蛍光灯の利用を想定している。一般家庭や事務所などの照明機器には、円環蛍光灯や直管蛍光灯が有る。円環蛍光灯の外径は22センチあり、直管蛍光灯の長さは短くとも45センチある。外装ケース３は６センチ程度の寸法を想定している。それゆえ充電時に蛍光灯に吊るしても携帯ＬＥＤライト１による遮光の悪影響はほとんど無い。
また図１では便宜上、クリップ留めの向きを電灯笠11の縁と直交する向きで図示している。太陽電池２を電気光へより近づけるには、クリップ９を電灯笠11の縁に沿う斜め向きに留めれば近づく。あるいはクリップ留めする部位を、蛍光灯を保持するフック金具や電気コードとしてもよい。図１では電気光とＬＥＤ光を細線で表現している。当然ながら実際に充電する場合は、ＬＥＤライトを消した状態（ＯＦＦ）で充電するものである。
【実施例２】
【００１６】
図２を参照として、本発明をキッチンタイマー12に適用した実施例２を説明する。
まず太陽電池13の平面に沿った平板形状の外装ケース14を形成する。図２の外装ケース14は裏面であり、図３が外装ケース14正面である。外装ケース14の正面には操作ボタン15と時間表示部16を設ける。外装ケース14内には蓄電池とタイマー制御回路を内蔵させ、これら太陽電池13，蓄電池，タイマー制御回路，操作ボタン15，時間表示部16を配線接続して、キッチンタイマー12の本体を形成する。外装ケース14は、連結部材を介してクリップ17と連結する。連結部材は、蝶ボルト18（ｗｉｎｇ  ｂｏｌｔ，翼形螺栓）によって角度調節可能に接続される部材である。外装ケース側連結部材19は、蝶ボルトを通す単純穴の開いた部材である。クリップ側連結部材20は、蝶ボルト18と係合するネジ溝付き穴（螺孔）の開いた部材である。外装ケース側連結部材19の単純穴とクリップ側連結部材20のネジ溝付き穴を一致させて、その穴に蝶ボルトでネジ留め（螺着）する。図３の組立状態において、蝶ボルト18を緩めれば、連結部材の曲り角度を動かして調節できる。蝶ボルト18を締めれば、連結部材の曲り角度は固定される。蝶ボルト18の連結部材は、曲げモーメント負荷が大きくても角度保持できる。
つづいてキッチンタイマー12の充電方法を説明する。実施例１の携帯ＬＥＤライトの場合と同様であるが、太陽電池13を電灯に向けて吊るす。機器使用法は一般のキッチンタイマーと同様である。ただクリップ付きなので、着衣装着もできる。装着位置を上下左右にする事で、タイマー理由をおおまかに区分しておける。たとえば５階建て病棟全体を担当する看護婦が時刻指定の作業をタイマーセットする場合、着衣装着させるクリップ位置で目安をつけておける。指定時刻に体温測定する患者が５階左端の病室にいるならば、左肩辺りにクリップ留めするという具合である。
図３では理解し易いように蝶ボルト18を大きく図示した。実際は大きさもボルト長さも縮小化できる。また蝶ボルト連結部材を二つ直列させた構成でもよい。あるいは蝶ボルト18ではなく、円筒形の摘みのボルトを用いてもよい。ちなみに市販されているキッチンタイマーは大きさ５５×７０×厚７ミリで、重さ約２５グラムである。
【実施例３】
【００１７】
図４を参照として、本発明をカード電卓21に適用した実施例３を説明する。カード電卓21とはカード形状の卓上電子計算機である。数字ボタン，演算子ボタン22と表示部23と電卓制御回路をもつカード電卓21を形成する。このカード電卓21の裏面に太陽電池を設け、このカード電卓21の内部には蓄電池を設け、これら太陽電池，蓄電池を電卓制御回路と配線接続し、カード電卓21本体を形成する。カード電卓21本体とクリップ24を、フリーワイヤー25で連結する。フリーワイヤー25とは、折り曲げ自由で、疲労破断し難い針金である。フリーワイヤー25の素材は錫やアルミあるいはその他の金属でも構わない。もちろんフリーワイヤー25は、カード電卓21の重量による曲げモーメントにも耐えて、角度保持するものである。実施例３ではフリーワイヤー25が連結部材に該当する。
充電方法は実施例２と同様であり、太陽電池側を電灯に向けて吊るす。電卓使用法は一般の電卓と同様である。ただクリップ付きなので、着衣装着しておける。海外旅行で買い物する場合にカード電卓21を着衣装着しておけば、両手自由なまま買い物できる。レート換算したい場合には、すぐにカード電卓21を使用できる。ちなみに市販カード電卓は、大きさ６５×１１０×厚６ミリで、重さ３５グラムである。
実施例１〜３におけるクリップの形状は、それぞれに異なっている。とはいえ異なるのはクリップの連結部材側の摘み部分である。クリップ前半の挟み込み部は同一形状である。クリップ部品の挟み込み部だけでいえば、図１は正面図であり、図２は斜視図であり、図４は側面図である。もちろん本発明に用いるクリップは他の形状でも構わない。
【産業上の利用可能性】
【００１８】
本発明は、およそポケットサイズで軽薄短小な携帯電子機器には適用できる。カードラジオにも適用可能である。市販ミニラジオの大きさは６１×９３×厚１９ミリで、重さ７０グラムである。厚５ミリのソーラーカードラジオもある。また外付け電源にも適用できる。太陽電池と蓄電池と連結部材とクリップと接続コネクタを接続して構成する。充電後は、対象とする電子機器と電源コード接続するという構成である。
【符号の説明】
【００１９】
１携帯ＬＥＤライト、２太陽電池、  ３外装ケース、  ４ＬＥＤ、  ５スイッチ、
６球体連結部、      ７凹凹連結部材、  ８凸凹連結部材、        ９クリップ、
10クリップ側球体連結部、  11電灯笠、  12キッチンタイマー、  13太陽電池、
14外装ケース、  15操作ボタン、  16時間表示部、17クリップ、  18蝶ボルト、
19外装ケース側連結部材、  20クリップ側連結部材、          21カード電卓、
22外装ケース、  23演算子ボタン、24表示部、25クリップ、26フリーワイヤー。
【図１】
0006515256.tif 000002
【図２】
0006515256.tif 000003
【図３】
0006515256.tif 000004
【図４】
0006515256.tif 000005